(57)【要約】  【課題】  複数の番組情報提供元から取得した番組情報に基づく番組表の同時表示を禁止する規約が存在する場合であっても、複数の番組表を扱うことができる受信装置及び該受信装置を備える録画装置を提供する。  【解決手段】  制御部１０は、ＥＰＧ選択キー１３ａが押下される毎に、地上アナログ放送番組情報取得部１６及び地上デジタル放送番組情報取得部１７にて取得した各番組情報に基づいて、番組情報提供元毎にＥＰＧを適宜作成する。例えば、ＥＰＧ選択キー１３ａが１回押下された場合、地上アナログ放送番組情報取得部１６によって取得した地上アナログ放送番組情報に基づいてＧガイド系ＥＰＧを作成し、さらにＥＰＧ選択キー１３ａが１回押下された場合、地上デジタル放送番組情報取得部１７によって取得した地上デジタル放送番組情報に基づいてＳＩ系ＥＰＧを作成する。そして、作成したＥＰＧを出力部１５から出力することによって表示機器６０に表示する。【選択図】        図１
2007060576.tif 000002
【特許請求の範囲】
【請求項１】
放送番組を受信する受信装置において、
放送番組の放送時間を含む番組情報を複数の番組情報提供元から取得する番組情報取得手段と、
取得した番組情報に基づいて、放送番組を放送時間順に並べた番組表を番組情報提供元毎に作成する番組表作成手段と、
作成した複数の番組表から一の番組表を配置した表画像を作成する表画像作成手段と、
前記表画像の表示出力処理を行う手段と
を備えることを特徴とする受信装置。
【請求項２】
前記複数の番組表から一の番組表の選択を受け付ける手段をさらに備え、
前記表画像作成手段は、選択を受け付けた一の番組表を表示できるように表画像を作成するようにしてあること
を特徴とする請求項１に記載の受信装置。
【請求項３】
前記表画像作成手段は、
前記一の番組表を他の番組表の上に重ねたように、該一の番組表に沿って他の番組表の番組情報が載っていない周囲部分を配置した表画像を作成するようにしてあること
を特徴とする請求項１又は請求項２に記載の受信装置。
【請求項４】
前記表画像作成手段は、
一の番組表に係る番組情報提供元を表す情報を配置した表画像を作成するようにしてあること
を特徴とする請求項１乃至請求項３のいずれか１つに記載の受信装置。
【請求項５】
請求項１乃至請求項４のいずれか１つに記載の受信装置を備え、該受信装置にて放送番組を受信して録画する録画装置であって、
録画予約する放送番組の選択を受け付ける受付手段と、
受け付けた放送番組の放送時間が、すでに録画予約されている放送番組の放送時間と重複しているか否かを判定する判定手段と、
放送時間が重複していると判定された場合に警告を行う警告手段と
を備えることを特徴とする録画装置。
【請求項６】
請求項１乃至請求項４のいずれか１つに記載の受信装置を備え、該受信装置にて放送番組を受信して録画する録画装置であって、
前記番組情報には、放送番組の名称が含まれており、
録画予約する放送番組の選択を受け付ける受付手段と、
受け付けた放送番組の名称が、すでに録画予約されている放送番組の名称と同一であるか否かを判定する手段と、
名称が同一であると判定された場合に警告を行う警告手段と
を備えることを特徴とする録画装置。
【請求項７】
警告を行う場合、受け付けた放送番組又はすでに録画予約されている放送番組の一方を録画予約するように予約指示を受け付ける予約受付手段と、
受け付けた予約指示に基づいて録画予約を設定する設定手段と
をさらに備えることを特徴とする請求項５又は請求項６に記載の録画装置。
【請求項８】
前記設定手段は、
前記予約受付手段にて予約指示の受け付けがなされない場合、すでに録画予約されている放送番組の録画予約を有効にするようにしてあること
を特徴とする請求項７に記載の録画装置。
【発明の詳細な説明】
【技術分野】
【０００１】
本発明は、放送番組を受信する受信装置、及び該受信装置にて放送番組を受信して録画する録画装置に関し、より具体的には、同時表示を禁止する規約が存在する場合であっても、複数の番組表を扱うことができる受信装置及び録画装置に関する。
【背景技術】
【０００２】
日本国において、従来のアナログ放送（地上アナログ放送）に加えて、デジタル放送（地上デジタル、ＢＳ／ＣＳデジタル放送）が行われている。また、放送波に放送番組の放送時刻及び内容を含んだ番組情報を多重化して配信することにより、現在放送中の番組及び今後（およそ１週間分）の放送予定の番組を示す番組表（電子番組ガイド：Electronic Program Guide（ＥＰＧ））を画面上に表示して利用者に案内する技術が実用化されている。
【０００３】
また、上述したようなＥＰＧを活用することによって、深夜の番組や留守中の番組を簡単に録画予約することができる録画装置が実用化されている（例えば、特許文献１参照。）。ＥＰＧによる録画予約は、スポーツ延長等で予約番組の開始時刻又は終了時刻が変更された場合であっても、オンタイムで開始時刻又は終了時刻の情報を取得して、録画時刻を自動的に変更することすることができるので極めて有用である。
【特許文献１】特開２００４−２４１８５２号公報
【発明の開示】
【発明が解決しようとする課題】
【０００４】
ところで、複数の番組情報提供元が、それぞれ異なる番組情報を提供しているが、例えば、Ｇガイド系ＥＰＧ、ＳＩ系ＥＰＧのように、ＥＰＧには複数の仕様が存在しているにもかかわらず、複数の仕様のＥＰＧを同時にＯＳＤ表示することができる録画装置（例えばハードディスクレコーダ）は存在していなかった。これは、Ｇガイド系ＥＰＧと、ＳＩ系ＥＰＧとの同時表示を禁止する規約が存在しているためである。例えば、図１０に示すように、Ｇガイド系ＥＰＧ３１０とＳＩ系ＥＰＧ３２０とを同一画面３００上に表示することは、その規約によって禁止されている。
【０００５】
したがって、各ＥＰＧを別々に表示しなければならないことから、同一時間帯に１番組しか録画できない場合には、一方のＥＰＧですでに予約が行なわれていたとき、利用者が予約のことを忘れて、他方のＥＰＧで同一時間帯に予約を行ってしまい、いずれかの予約が不履行となってしまうという問題があった。また、地上アナログ放送の番組と地上デジタル放送の番組とは、単に放送形態が異なるだけで、同一内容の番組であることが多々あるので、同一時間帯に２番組の録画が可能な場合には、内容が同一の番組を録画してしまう虞があった。
【０００６】
本発明は斯かる事情に鑑みてなされたものであり、放送番組の放送時間を含む番組情報を複数の番組情報提供元から取得し、番組情報に基づいて、放送番組を放送時間順に並べた番組表を番組情報提供元毎に作成し、さらに、作成した複数の番組表から一の番組表を配置した表画像を作成して表示出力処理を行う構成とすることにより、表画像には、複数の番組表のうちの一の番組表しか配置されないので、同時表示を禁止する規約が存在する場合であっても、複数の番組表を扱うことができる受信装置の提供を目的とする。
【０００７】
また本発明は、複数の番組表のうちの一の番組表の選択を受け付け、選択を受け付けた一の番組表を表示できるように表画像を作成する構成とすることにより、利用者の指示によって複数の番組表を切換えて表示して、同時表示を禁止する規約が存在する場合であっても、複数の番組表を交互に表示することができる受信装置の提供を目的とする。
【０００８】
また本発明は、一の番組表を他の番組表の上に重ねたように、一の番組表に沿って他の番組表の番組情報が載っていない周囲部分を配置した表画像を作成する構成とすることにより、他の番組表の番組情報は一の番組表の番組情報の背部に隠れることになり、表画像には他の番組表の番組情報が表出することのない受信装置の提供を目的とする。
【０００９】
また本発明は、一の番組表に係る番組情報提供元を表すタグ、ロゴマークなどの情報を配置した表画像を作成する構成とすることにより、利用者は、現在の番組表として現れている番組情報がいずれの番組情報提供元からのものであるかを容易に識別することができる受信装置の提供を目的とする。
【００１０】
また本発明は、放送番組を受信するとともに、録画予約する放送番組の選択を受け付け、受け付けた放送番組の放送時間が、すでに録画予約されている放送番組の放送時間と重複しているか否かを判定し、放送時間が重複していると判定された場合に警告を行う構成とすることにより、一の番組表を利用して録画予約する場合、放送番組が重複する録画予約が他の番組表の利用によってすでに行なわれているときに警告を行える録画装置の提供を目的とする。
【００１１】
また本発明は、番組情報に放送番組の名称が含まれている場合、放送番組を受信するとともに、録画予約する放送番組の選択を受け付け、受け付けた放送番組の名称が、すでに録画予約されている放送番組の名称と同一であるか否かを判定し、名称が同一であると判定された場合に警告を行う構成とすることにより、一の番組表を利用して録画予約する場合、名称が重複する録画予約が他の番組表の利用によってすでに行なわれているときに警告を行え、同一番組の重複録画を防止することができる録画装置の提供を目的とする。
【００１２】
また本発明は、警告を行う場合、受け付けた放送番組又はすでに録画予約されている放送番組の一方を録画予約するように予約指示を受け付け、受け付けた予約指示に基づいて録画予約を設定する構成とすることにより、録画予約しようとした番組、又はすでに録画予約組みの番組のいずれか一方を録画予約するかの指示を行える録画装置の提供を目的とする。
【００１３】
また本発明は、予約指示の受け付けがなされない場合、すでに録画予約されている放送番組の録画予約を有効にする構成とすることにより、先に録画予約された放送番組を優先する録画装置の提供を目的とする。
【課題を解決するための手段】
【００１４】
本発明に係る受信装置は、放送番組を受信する受信装置において、放送番組の放送時間を含む番組情報を複数の番組情報提供元から取得する番組情報取得手段と、取得した番組情報に基づいて、放送番組を放送時間順に並べた番組表を番組情報提供元毎に作成する番組表作成手段と、作成した複数の番組表から一の番組表を配置した表画像を作成する表画像作成手段と、前記表画像の表示出力処理を行う手段とを備えることを特徴とする。
【００１５】
本発明にあっては、放送番組の放送時間を含む番組情報を複数の番組情報提供元から取得し、番組情報に基づいて、放送番組を放送時間順に並べた番組表を番組情報提供元毎に作成する。そして、作成した複数の番組表から一の番組表を配置した表画像を作成して表示出力処理を行う。これにより、表画像には、複数の番組表のうちの一の番組表しか配置されないので、同時表示を禁止する規約が存在する場合であっても、複数の番組表を扱うことができる。
【００１６】
本発明に係る受信装置は、前記複数の番組表から一の番組表の選択を受け付ける手段をさらに備え、前記表画像作成手段は、選択を受け付けた一の番組表を表示できるように表画像を作成するようにしてあることを特徴とする。
【００１７】
本発明にあっては、複数の番組表のうちの一の番組表の選択を受け付け、選択を受け付けた一の番組表を表示できるように表画像を作成する。これにより、利用者の指示によって複数の番組表を切換えて表示することができる。切換表示することから、同時表示を禁止する規約が存在する場合であっても、複数の番組表を交互に表示することができる。
【００１８】
本発明に係る受信装置は、前記表画像作成手段は、前記一の番組表を他の番組表の上に重ねたように、該一の番組表に沿って他の番組表の番組情報が載っていない周囲部分を配置した表画像を作成するようにしてあることを特徴とする。
【００１９】
本発明にあっては、一の番組表を他の番組表の上に重ねたように、一の番組表に沿って他の番組表の番組情報が載っていない周囲部分を配置した表画像を作成する。これにより、他の番組表の番組情報は一の番組表の番組情報の背部に隠れることになり、表画像には他の番組表の番組情報が表出することはない。
【００２０】
本発明に係る受信装置は、前記表画像作成手段は、一の番組表に係る番組情報提供元を表す情報を配置した表画像を作成するようにしてあることを特徴とする。
【００２１】
本発明にあっては、一の番組表に係る番組情報提供元を表すタグ、ロゴマークなどの情報を配置した表画像を作成する。これにより、利用者は、現在の番組表として現れている番組情報がいずれの番組情報提供元からのものであるかを容易に識別することができる。
【００２２】
本発明に係る録画装置は、上述した発明のいずれか１つの受信装置を備え、該受信装置にて放送番組を受信して録画する録画装置であって、録画予約する放送番組の選択を受け付ける受付手段と、受け付けた放送番組の放送時間が、すでに録画予約されている放送番組の放送時間と重複しているか否かを判定する判定手段と、放送時間が重複していると判定された場合に警告を行う警告手段とを備えることを特徴とする。
【００２３】
本発明にあっては、上述した各受信装置にて放送番組を受信するとともに、録画予約する放送番組の選択を受け付け、受け付けた放送番組の放送時間が、すでに録画予約されている放送番組の放送時間と重複しているか否かを判定する。そして、放送時間が重複していると判定された場合に警告を行う。これにより、一の番組表を利用して録画予約する場合、放送番組が重複する録画予約が他の番組表の利用によってすでに行なわれているときに警告を行える。したがって、同一時間帯で複数の番組録画が不可能である場合に有用である。
【００２４】
本発明に係る録画装置は、上述した発明のいずれか１つの受信装置を備え、該受信装置にて放送番組を受信して録画する録画装置であって、前記番組情報には、放送番組の名称が含まれており、録画予約する放送番組の選択を受け付ける受付手段と、受け付けた放送番組の名称が、すでに録画予約されている放送番組の名称と同一であるか否かを判定する手段と、名称が同一であると判定された場合に警告を行う警告手段とを備えることを特徴とする。
【００２５】
本発明にあっては、番組情報に放送番組の名称が含まれている場合、上述した各受信装置にて放送番組を受信するとともに、録画予約する放送番組の選択を受け付け、受け付けた放送番組の名称が、すでに録画予約されている放送番組の名称と同一であるか否かを判定する。そして、名称が同一であると判定された場合に警告を行う。これにより、一の番組表を利用して録画予約する場合、名称が重複する録画予約が他の番組表の利用によってすでに行なわれているときに警告を行える。したがって、同一番組の重複録画を防止することが可能である。例えば、地上アナログ放送の番組と地上デジタル放送の番組とを同時録画できるような場合であっても、同一の放送局の番組であるときは、単に放送形態が異なるだけで同一内容の番組であることが多いので、このような場合に警告を行うことによって内容が同一の番組を録画してしまうことを防止することができる。
【００２６】
本発明に係る録画装置は、警告を行う場合、受け付けた放送番組又はすでに録画予約されている放送番組の一方を録画予約するように予約指示を受け付ける予約受付手段と、受け付けた予約指示に基づいて録画予約を設定する設定手段とをさらに備えることを特徴とする。
【００２７】
本発明にあっては、警告を行う場合、受け付けた放送番組又はすでに録画予約されている放送番組の一方を録画予約するように予約指示を受け付け、受け付けた予約指示に基づいて録画予約を設定する。これにより、録画予約しようとした番組、又はすでに録画予約組みの番組のいずれか一方を録画予約するかの指示を行える。
【００２８】
本発明に係る録画装置は、前記設定手段は、前記予約受付手段にて予約指示の受け付けがなされない場合、すでに録画予約されている放送番組の録画予約を有効にするようにしてあることを特徴とする。
【００２９】
本発明にあっては、予約指示の受け付けがなされない場合、すでに録画予約されている放送番組の録画予約を有効にして、先に録画予約された放送番組を優先する。
【発明の効果】
【００３０】
本発明によれば、放送番組の放送時間を含む番組情報を複数の番組情報提供元から取得し、番組情報に基づいて、放送番組を放送時間順に並べた番組表を番組情報提供元毎に作成し、作成した複数の番組表から一の番組表を配置した表画像を作成して表示出力処理を行う構成としたので、表画像には、複数の番組表のうちの一の番組表しか配置されないので、同時表示を禁止する規約が存在する場合であっても、複数の番組表を扱うことができる。複数の番組情報提供元から放送番組に係る情報を取得して表示出力することができるので、様々な視点からの情報を表画像に反映させることができる。
【００３１】
本発明によれば、複数の番組表のうちの一の番組表の選択を受け付け、選択を受け付けた一の番組表を表示できるように表画像を作成する構成としたので、利用者の指示によって複数の番組表を切換えて表示して、同時表示を禁止する規約が存在する場合であっても、複数の番組表を交互に表示することができる。
【００３２】
本発明によれば、一の番組表を他の番組表の上に重ねたように、一の番組表に沿って他の番組表の番組情報が載っていない周囲部分を配置した表画像を作成する構成としたので、他の番組表の番組情報は一の番組表の番組情報の背部に隠れることになり、表画像には他の番組表の番組情報が表出することはない。
【００３３】
本発明によれば、一の番組表に係る番組情報提供元を表すタグ、ロゴマークなどの情報を配置した表画像を作成する構成としたので、利用者は、現在の番組表として現れている番組情報がいずれの番組情報提供元からのものであるかを容易に識別することができ、番組表が誤認される虞はない。
【００３４】
本発明によれば、放送番組を受信するとともに、録画予約する放送番組の選択を受け付け、受け付けた放送番組の放送時間が、すでに録画予約されている放送番組の放送時間と重複しているか否かを判定し、放送時間が重複していると判定された場合に警告を行う構成としたので、一の番組表を利用して録画予約する場合、放送番組が重複する録画予約が他の番組表の利用によってすでに行なわれているときに警告を行える。同一時間帯で複数の番組録画が不可能である場合に有用である。
【００３５】
本発明によれば、番組情報に放送番組の名称が含まれている場合、放送番組を受信するとともに、録画予約する放送番組の選択を受け付け、受け付けた放送番組の名称が、すでに録画予約されている放送番組の名称と同一であるか否かを判定し、名称が同一であると判定された場合に警告を行う構成としたので、一の番組表を利用して録画予約する場合、名称が重複する録画予約が他の番組表の利用によってすでに行なわれているときに警告を行える。同一番組の重複録画を防止することができる。
【００３６】
本発明によれば、警告を行う場合、受け付けた放送番組又はすでに録画予約されている放送番組の一方を録画予約するように予約指示を受け付け、受け付けた予約指示に基づいて録画予約を設定する構成としたので、録画予約しようとした番組、又はすでに録画予約組みの番組のいずれか一方を録画予約するかの指示を行える。
【００３７】
本発明によれば、予約指示の受け付けがなされない場合、すでに録画予約されている放送番組の録画予約を有効にする構成としたので、先に録画予約された放送番組が優先して録画される等、優れた効果を奏する。
【発明を実施するための最良の形態】
【００３８】
以下、本発明をその実施の形態を示す図面に基づいて詳述する。
【００３９】
図１は本発明に係る受信装置を搭載した録画装置としてのハードディスクレコーダの構成を示すブロック図である。以下、説明を簡略化するため、地上アナログ放送と地上デジタル放送とが受信されるような場合について説明するが、放送番組の放送形態について限定されるものではない。
本発明に係る録画装置としてのハードディスクレコーダ１は、ＣＰＵで構成された制御部１０を備えている。制御部１０は、地上アナログ放送用チューナ部１１，地上デジタル放送用チューナ部１２，操作部１３，表示部１４，出力部１５，地上アナログ放送番組情報取得部１６，地上デジタル放送番組情報取得部１７，信号処理部（コーデック部）１８，予約管理部１９，記録部２０などと接続され、これら各部を制御して、内蔵するＲＯＭに格納された制御プログラムに従って種々の機能を実行する。
【００４０】
地上アナログ放送用チューナ部１１は放送中継基地の方向に向けて配置されたアンテナ５１（ここではＶＨＦアンテナ）に、地上デジタル放送用チューナ部１２はアンテナ５２（ここではＵＨＦアンテナ）に、それぞれ接続されており、それぞれから送信された映像信号（音声信号を含む）のうちの特定周波数帯域の映像信号を選択して復調する機能を有する。もちろん、アンテナ５１とアンテナ５２とが共用されているような場合があることは言うまでもない。映像信号には、放送番組の放送時刻及び内容を含んだ番組情報が多重化されている。番組情報には、現在放送中の番組のみならず、今後の放送予定の番組に関する番組情報が含まれる。
【００４１】
地上アナログ放送番組情報取得部１６は、地上アナログ放送用チューナ部１１にて復調された映像信号から、映像信号に多重化されている地上アナログ放送番組情報を取得する。同様に、地上デジタル放送番組情報取得部１７は、地上デジタル放送用チューナ部１２にて復調された映像信号から、映像信号に多重化されている地上デジタル放送番組情報を取得する。
【００４２】
コーデック部１８は、映像信号を所定形式（例えばＭＰＥＧ形式）の映像データに符号化するエンコーダと、ＭＰＥＧ形式の映像データを読出して映像信号に復号化するデコーダとを備ており、エンコードされた映像データは記録部２０に適宜記録され、記録部２０から読み出された映像データは、映像信号に復号化され、出力部１５から出力される。記録部２０は、ハードディスク装置のような磁気記録装置であって、ランダムアクセス性を有するものとする。なお、記録部２０は、大容量の記録装置であることが好ましいが、磁気記録、光記録及び光磁気記録など、その記録形態について限定されるものではない。
【００４３】
出力部１５には、液晶ディスプレイ又はＣＲＴディスプレイなどの表示機器６０が接続されており、復号化された映像信号を表示機器６０に出力して、映像信号に係る映像が表示される。もちろん、出力部１５は、上述したような信号処理を行うことなく、地上アナログ放送用チューナ部１１又は地上デジタル放送用チューナ部１２からの映像信号を表示機器６０へ出力し、映像信号に係る映像を表示機器６０に表示することもできる。
【００４４】
予約管理部１９は、予約管理データベース１９０を有しており、予約管理データベース１９０には、Ｇガイド系ＥＰＧによって利用者から受け付けた予約に係るデータベース（Ｇガイド系予約データベース）１９０ａと、ＳＩ系ＥＰＧによって利用者から受け付けた予約に係るデータベース（ＳＩ系予約データベース）１９０ｂとが登録されている。Ｇガイド系予約データベース１９０ａ及びＳＩ系予約データベース１９０ｂは、図２に示すように、それぞれ、予約を識別するための予約番号１９１ａ，１９１ｂ、映像データを記録する番組のチャンネル１９２ａ，１９２ｂ、映像データの記録開始の日時を示す開始日時１９３ａ，１９３ｂ、映像データの記録終了の日時を示す終了日時１９４ａ，１９４ｂが互いに関連付けられて登録されている（図２（ａ）：Ｇガイド系予約データベース、図２（ｂ）：ＳＩ系予約データベース）。なお、本例では、Ｇガイド系予約データベース１９０ａとＳＩ系予約データベース１９０ｂとが別々に管理されている場合について説明したが、図３に示すように、１つの予約管理データベース１９０で管理するようにしてもよい。１つの予約管理データベース１９０で管理する場合は、録画予約が、いずれのＥＰＧにて受け付けたものかを識別するためのＥＰＧ情報１９５を予約管理データベース１９０の要素に追加しておく。
【００４５】
操作部１３は、ハードディスクレコーダ１を操作するための各種のファンクションキーを備えている。ファンクションキーは、複数のＥＰＧ（ここでは２つ）のうちの１つのＥＰＧの選択を受け付けるＥＰＧ選択キー１３ａ、録画予約する放送番組の選択を受け付ける予約録画選択キー１３ｂなどである。
【００４６】
表示部１４は、液晶モニタ又はＬＥＤモニタなどの表示デバイスで構成されており、ハードディスクレコーダ１の動作状態の表示、利用者へ操作入力を促す画面の表示などを行う。なお、本例では、オン・スクリーン・ディスプレイ（ＯＳＤ）を表示機器６０に表示することとする。また、表示部１４をタッチパネル方式とすることにより、操作部１３の各種のファンクションキーのうちの一部又は全部を代用することも可能である。
【００４７】
次に、本発明の主旨の一つであるＯＳＤ機能を利用したＥＰＧ表示について説明する。図４は本発明のＥＰＧ表示の一例を説明するための説明図である。
利用者によってＥＰＧ選択キー１３ａが押下される毎に、制御部１０は、地上アナログ放送番組情報取得部１６及び地上デジタル放送番組情報取得部１７にて取得した各番組情報に基づいて、番組情報提供元毎にＥＰＧを適宜作成する。より具体的には、ＥＰＧ選択キー１３ａが１回押下された場合、地上アナログ放送番組情報取得部１６によって取得した地上アナログ放送番組情報に基づいて、放送番組を放送時間順に並べたＧガイド系ＥＰＧ３１を作成する。
【００４８】
次いで、ＥＰＧ選択キー１３ａがさらに１回押下された場合、地上デジタル放送番組情報取得部１７によって取得した地上デジタル放送番組情報に基づいて、放送番組を放送時間順に並べたＳＩ系ＥＰＧ３２を作成する。このように、制御部１０は、ＥＰＧ選択キー１３ａが押下される毎に、Ｇガイド系ＥＰＧ３１、ＳＩ系ＥＰＧ３２をそれぞれ作成して、出力部１５から出力することによって、表示機器６０の画面上に各ＥＰＧを表示する。なお、ＥＰＧ選択キー１３ａの押下に関係なく、Ｇガイド系ＥＰＧ３１及びＳＩ系ＥＰＧ３２をそれぞれ作成しておき、ＥＰＧ選択キー１３ａが押下される毎に、Ｇガイド系ＥＰＧ３１又はＳＩ系ＥＰＧ３２を選択して出力部１５から出力するようにしてもよい。また、Ｇガイド系ＥＰＧ３１に該ＥＰＧの番組情報提供元を識別するタグ３１ａを付帯させ、ＳＩ系ＥＰＧ３２に該ＥＰＧの番組情報提供元を識別するタグ３２ａを付帯させるようにすれば、各ＥＰＧの番組情報提供元を利用者に容易に認識させることができる。
【００４９】
次に、本発明に係るハードディスクレコーダ１が行う動作をフローチャートに基づいて説明する。
図５及び図６は本発明に係るハードディスクレコーダが行うＥＰＧによる予約設定における処理手順を示すフローチャートである。なお、処理手順は一例であってこれに限るものではない。また、このような処理手順は、制御部１０に内蔵したＲＯＭへ予め制御プログラムを組み込んでおくことにより行うことができる。
【００５０】
先ず、制御部１０は、ＥＰＧ選択キー１３ａの押下の有無に基づいて、ＥＰＧの作成を行うか否かを判断する（ステップＳ１）。ＥＰＧ選択キー１３ａが押下されている場合（Ｓ１：ＹＥＳ）、利用者がＥＰＧ表示の指示を行ったことになるので、制御部１０は、ＥＰＧ選択キー１３ａの押下回数をカウントし（ステップＳ２）、ＥＰＧ選択キー１３ａの押下回数が奇数であるか否かを判定する（ステップＳ３）。本例では、２つのＥＰＧが用意されていることから、押下回数の偶奇に基づいて、いずれのＥＰＧの表示を指示しているかを判定する。
【００５１】
ＥＰＧ選択キー１３ａの押下回数が奇数である場合（Ｓ３：ＹＥＳ）、利用者がＧガイド系ＥＰＧ３１の表示を指示していると判断し、地上アナログ放送番組情報取得部１６によって取得した地上アナログ放送番組情報に基づいてＧガイド系ＥＰＧ３１を作成する（ステップＳ４）。一方、ＥＰＧ選択キー１３ａの押下回数が奇数でない、すなわち偶数である場合（Ｓ３：ＮＯ）、利用者がＳＩ系ＥＰＧ３２の表示を指示していると判断し、地上デジタル放送番組情報取得部１７によって取得した地上デジタル放送番組情報に基づいてＳＩ系ＥＰＧ３２を作成する（ステップＳ５）。
【００５２】
そして、作成したＥＰＧを出力部１５から表示機器６０へ出力する（ステップＳ６）。これにより、表示機器６０には、Ｓ４又はＳ５にて作成したＥＰＧがＯＳＤ表示され、利用者はＯＳＤ表示されたＥＰＧに基づいて録画したい放送番組を選択する。つまり、録画予約する放送番組の選択を操作部１３（予約録画選択キー１３ｂ）において受け付ける（ステップＳ７）。
【００５３】
録画予約する放送番組の選択を受け付けた操作部１３からの信号により、予約管理部１９は、選択された放送番組に対応する番組情報（地上アナログ放送番組情報又は地上デジタル放送番組情報）から、番組の放送時間（放送開始日時、放送終了日時）、チャンネルを抽出する（ステップＳ８）。そして、抽出した放送時間で、予約管理データベース１９０に登録されている他の録画予約が存在するか否かを判定する（ステップＳ９）。
【００５４】
予約管理データベース１９０に登録されている他の録画予約が存在しない場合（Ｓ９：ＮＯ）、録画予約の登録が可能であるので、Ｓ８にて抽出した番組のチャンネル及び放送時間を予約管理データベース１９０に登録する（ステップＳ１０）。そして、予約管理データベース１９０への登録が完了した後に、録画予約を受け付けた旨のＯＳＤ画像を作成し、出力部１５から表示機器６０へ出力する（ステップＳ１１）。これにより、表示機器６０には、録画予約を受け付けた旨のＯＳＤ画像が表示され、利用者は録画予約が正常に完了したことを認識することができる。
【００５５】
一方、予約管理データベース１９０に登録されている他の録画予約が存在する場合（Ｓ９：ＹＥＳ）、録画予約済みの放送番組に係るＥＰＧを作成する（ステップＳ１２）。例えば、受け付けた放送番組と放送時間が重複する録画予約済みの放送番組がＳＩ系ＥＰＧ３２にて受け付けられていた場合、利用者が確認できるように、地上デジタル放送番組情報取得部１７によって取得した地上デジタル放送番組情報に基づいてＳＩ系ＥＰＧ３２を作成する。作成するＳＩ系ＥＰＧ３２は、録画予約がなされようとした放送番組と重複する録画予約済みの放送番組の色又は背景色などを変更して、重複した放送番組を利用者が容易に識別できるようにすることが好ましい。
【００５６】
そして、作成したＥＰＧを出力部１５から表示機器６０へ出力する（ステップＳ１３）。これにより、放送時間が重複している場合は、重複している放送番組のＥＰＧがＯＳＤ表示されることになり、利用者に録画予約が重複している旨の警告を行うことができる。なお、Ｓ１３のＥＰＧの表示機器６０への出力は録画予約が重複している旨の警告を主としており、所定時間（例えば５秒）経過後に出力を終了するようにしておく。
【００５７】
そして、Ｓ７において受け付けた放送番組、又はその放送番組と重複する録画予約済みの放送番組のいずれを録画予約するか否かを受け付け（ステップＳ１４）、受け付け結果に基づいて録画予約を設定する（ステップＳ１５）。より詳細には、Ｓ７において受け付けた放送番組を録画予約するとの受け付けがなされた場合、その放送番組と重複する録画予約済みの放送番組を予約管理データベース１９０から削除するとともに、Ｓ７において受け付けた放送番組を予約管理データベース１９０に登録する。
【００５８】
一方、重複する録画予約済みの放送番組を録画予約するとの受け付けがなされた場合は、録画予約が行なわれなかったことと同じであることから、予約管理データベース１９０の削除及び登録などの更新を行う必要はない。なお、Ｓ１４の受け付けにおいて、いずれの放送番組を予約録画するかの受け付けがなされない場合、すでに録画予約されている放送番組の録画予約を有効にしておく。もちろん、登録しようとする番組の予約を優先するようにしてもよい。
【００５９】
次に、ＯＳＤ機能を利用した録画予約について説明する。図７は本発明の録画予約の一例を説明するための説明図であり、利用者が放送番組を予約録画しようとして、その放送時間が録画予約済みの放送番組の放送時間と重複している場合に、如何にして利用者にその旨を警告するかを示すものである。
【００６０】
図７（ａ）は、利用者がＯＳＤ機能を用いて録画予約しようとしている状態を示しており、Ｇガイド系ＥＰＧ３１が表示機器６０に表示されている。利用者は、表示されているＧガイド系ＥＰＧ３１を見ながら、操作部１３を操作して目的の番組欄４１を選択する。
【００６１】
そして、選択した番組の放送時間が録画予約済みの放送番組の放送時間と重複している場合、図７（ｂ）に示すように、録画予約済みの放送番組に係るＥＰＧ（ここではＳＩ系ＥＰＧ３２）を作成して表示機器６０に表示する。このように、表示機器６０の画面が、録画予約を行おうとしていたＧガイド系ＥＰＧ３１からＳＩ系ＥＰＧ３２に変更されることから、利用者は録画予約を行おうとした番組の放送時間が重複していたことを把握することができる。また、変更されたＳＩ系ＥＰＧ３２には、録画予約済みの放送番組の番組欄４２の属性（例えば色、パターンなど）を他と相違させることにより、利用者は、重複した放送番組が何であったかを把握することもできる。
【００６２】
そして、図７（ｃ）に示すように、録画予約しようとした番組、又はすでに録画予約済みの番組のいずれを録画予約するか否かを選択するための画面４５を表示機器６０に表示する。そして、操作部１３を操作し、Ａ番組（Ｇガイド系ＥＰＧ）４５ａ又はＢ番組（ＳＩ系ＥＰＧ）４５ｂを選択して決定ボタン４６を押下する。これにより、利用者は、いずれか一方の番組を録画予約することができる。
【００６３】
なお、実施の形態では、録画予約を受け付けた放送番組に対応する番組情報から、番組の放送時間、チャンネルを抽出し、抽出した放送時間で、予約管理データベースに登録されている他の録画予約が存在するか否かを判定することによって放送番組の重複を判断するようにしたが、録画予約を受け付けた放送番組に対応する番組情報から番組名称をさらに抽出し、抽出した番組名称と同一の番組が予約管理データベースに存在するか否かを判定することによって放送番組の重複を判断するようにしてもよい。この場合、例えば、図８に示すように、番組名称１９６を予約管理データベース１９０に追加管理し、抽出した番組名称と予約管理データベース１９０に登録されている番組名称１９６とを比較することによって可能である。
【００６４】
前者は、例えば同一時間帯で複数の番組録画が不可能である場合に有用であり、後者は、同一番組の重複録画を防止することが可能である。つまり、例えば、地上アナログ放送の番組と地上デジタル放送の番組とを同時録画できるような場合であっても、同一の放送局の番組であるときは、単に放送形態が異なるだけで同一内容の番組であることが多いので、このような場合の録画を警告することによって内容が同一の番組を録画してしまうことを防止することができる。
【００６５】
また、ＥＰＧ表示の例は上述したものに限定されるものではなく、図９（ａ）に示すように、Ｇガイド系ＥＰＧ３１及びＳＩ系ＥＰＧ３２をそれぞれ作成しておき、ＥＰＧ選択キー１３ａが奇数回押下された場合に、Ｇガイド系ＥＰＧ３１の背部にＳＩ系ＥＰＧ３２を配置して、ＳＩ系ＥＰＧ３２の枠部（ウインドウ枠）が表出するようにしてもよい。このようにすれば、ＥＰＧが複数存在することを利用者が容易に認識することができて有用である。
【００６６】
また、図９（ｂ）に示すように、Ｇガイド系ＥＰＧ３１に該ＥＰＧの番組情報提供元を識別するタグ３１ａを付帯させ、ＳＩ系ＥＰＧ３２に該ＥＰＧの番組情報提供元を識別するタグ３２ａを付帯させるようにすれば、各ＥＰＧの番組情報提供元を利用者に容易に認識させることができる。本例では２つの番組情報提供元が存在しており、ＥＰＧが２つ存在し、かつそのＥＰＧがＧガイド系ＥＰＧ３１及びＳＩ系ＥＰＧ３２であることが容易にわかる。さらに、重複する録画予約が行なわれた場合、背部のＥＰＧ（ここではＳＩ系ＥＰＧ３２）の表出部分３３の色又はパターンなどの属性を変えることによって、その旨を利用者に警告するようにしてもよい。なお、タグの代わりに番組情報提供元を識別するロゴマークを付帯させるようにしてもよく、各ＥＰＧの番組情報提供元を識別できるものであれば、これらに限定されるものではない。
【００６７】
また、本実施形態では録画装置について説明したが、録画機能が搭載されていないチューナ、テレビジョンなどであってもよく、例えば、図１の一点鎖線で示す制御部１０，地上アナログ放送用チューナ部１１，地上デジタル放送用チューナ部１２，操作部１３（予約録画選択キー１３ｂは含まず），地上アナログ放送番組情報取得部１６，地上デジタル放送番組情報取得部１７から構成された受信装置であってもよい。もちろん、この場合、制御部１０の動作が若干異なるが本質的な相違はない。
【図面の簡単な説明】
【００６８】
【図１】本発明に係る録画装置としてのハードディスクレコーダの構成を示すブロック図である。
【図２】予約データベースの一例を示す概念図である。
【図３】予約データベースの他の一例を示す概念図である。
【図４】本発明のＥＰＧ表示の一例を説明するための説明図である。
【図５】本発明に係るハードディスクレコーダが行うＥＰＧによる予約設定における処理手順を示すフローチャートである。
【図６】本発明に係るハードディスクレコーダが行うＥＰＧによる予約設定における処理手順を示すフローチャートである。
【図７】本発明の録画予約の一例を説明するための説明図である。
【図８】予約データベースの他の一例を示す概念図である。
【図９】本発明のＥＰＧ表示の他の一例を説明するための説明図である。
【図１０】ＥＰＧの表示に関する禁止事項を説明するための説明図である。
【符号の説明】
【００６９】
１  ハードディスクレコーダ
１０  制御部
１１  地上アナログ放送用チューナ部
１２  地上デジタル放送用チューナ部
１３  操作部
１４  表示部
１５  出力部
１６  地上アナログ放送番組情報取得部
１７  地上デジタル放送番組情報取得部
１８  信号処理部（コーデック部）
１９  予約管理部
２０  記録部
５１，５２  アンテナ
６０  表示機器
【図１】
2007060576.tif 000003
【図２】
2007060576.tif 000004
【図３】
2007060576.tif 000005
【図４】
2007060576.tif 000006
【図５】
2007060576.tif 000007
【図６】
2007060576.tif 000008
【図７】
2007060576.tif 000009
【図８】
2007060576.tif 000010
【図９】
2007060576.tif 000011
【図１０】
2007060576.tif 000012